(57)【要約】【課題】  戸袋壁の枠体の変形を効果的に回避して、引戸の出入れに障害を及ばさないようすることができると共に、戸袋壁の枠体に中方立や面材を強固且つ安定した状態で接合一体化することのできる戸袋パネルを提供する。【解決手段】  仕切壁１１の出入口１２を開閉する引戸を収容する戸袋１３を設ける際に、仕切壁１１に沿って設置される戸袋パネル１０であって、金属製縦枠１４ａ，１４ｂと金属製横枠１５とを含む枠体１６と、枠体１６の一方の面に取付けられる戸袋側面材１７とからなる。出入口１２の開口縁部１２ａに沿って配置される開口縁部縦枠１８は、矩形断面形状の木製枠材１９に填込むように取付けられることにより、後方の短辺部１９ａ及び長辺部１８ｂの後方部分の周縁外郭部２９となるコの字断面形状の補強金物２１を木製枠材１９に接合一体化して形成され、補強金物２１によって覆われていない前方の短辺部を開口側に配設して取付けられる。【選択図】      図２
2005139749.tif 000002
【特許請求の範囲】
【請求項１】
仕切壁に形成された出入口を開閉する引戸を出し入れ可能に収容する戸袋を設ける際に、前記仕切壁に沿って設置される戸袋パネルであって、
複数の金属製縦枠と上下一対の金属製横枠とを含む矩形形状の枠体と、該枠体の一方の面を覆って取り付けられる戸袋側面材とからなり、
且つ前記出入口の開口縁部に沿って配置される開口縁部縦枠は、矩形断面形状の木製枠材に対して該矩形断面形状の後方の短辺部側から填め込むように取り付けられることにより、当該後方の短辺部及び両側の長辺部の後方部分の周縁外郭部となるコの字断面形状部分を備える補強金物を、前記木製枠材の長手方向に沿って接合一体化して形成されるものであり、この開口縁部縦枠は、前記補強金物によって覆われていない前方の短辺部を出入口側に配設して取り付けられていることを特徴する戸袋パネル。
【請求項２】
前記枠体の一方の面を覆って取り付けられる戸袋側面材が、化粧合板である請求項１に記載の戸袋パネル。
【請求項３】
前記金属製縦枠及び前記金属製横枠は、ロの字断面形状又はコの字断面形状を有する金属製枠材である請求項１又は２に記載の戸袋パネル。
【発明の詳細な説明】
【技術分野】
【０００１】
本発明は、仕切壁に形成された出入口を開閉する引戸を出し入れ可能に収容する戸袋を設ける際に、前記仕切壁に沿って設置される戸袋パネルに関する。
【背景技術】
【０００２】
住宅建築物の内部において、例えば隣接する部屋と部屋との間を仕切る仕切壁に開口形成された出入口を開閉するための建具として、溝やレールに沿って引き滑らせながら出入口を開閉する引戸が多用されている。引戸によれば、丁番等の金物を軸として回転するような形式で出入口を開閉する開戸と比較して、出入口を開閉する際の戸の占有領域をコンパクトにすることができ、建物内の空間をより有効に利用することが可能になる。また、引戸は、出入口を開放した状態において当該引戸を仕切壁の内部に収容可能とすることにより、出入口と隣接する部分の仕切壁を、例えば家具や装飾品等を立て掛けたり飾ったりするためのインテリア用の壁として有効利用することが可能になると共に、出入口の周囲の仕切壁の外観をすっきりとしたものとすることが可能になる。
【０００３】
引戸を仕切壁の内部に出入れ可能に収容させる構造としては、戸袋が知られており、戸袋は、例えば出入口と隣接する仕切壁を厚さ方向に３分割し、両側の薄い戸袋壁によって挟まれる中央の中空部分を収容部として、引戸を出入れ可能に収納できるようにしたものである。
【０００４】
一方、出入口と隣接する仕切壁に戸袋を形成する場合、当該仕切壁は一般に例えば９０〜１８０ｍｍ程度の厚さを有するものであることから、戸袋の両側に配置される戸袋壁は、各々例えば３６〜７５ｍｍ程度の薄い厚さに形成して設置する必要があり、このような薄い戸袋壁を強固かつ安定した状態で取り付ける作業に多くの手間を要することになる。このような薄い戸袋壁の設置作業の効率化を図るべく、予め工場等において製造された、縦枠と横枠とならなる矩形形状の枠体に面材を取り付けてなる戸袋パネルを用いて、戸袋壁を形成する方法が提案されている。
【０００５】
また、戸袋壁の枠体を、一般に用いられる木製の縦枠や横枠を使用して形成すると、木製材料の乾燥収縮等の影響を受けることにより、縦枠や横枠に撓みや反りが生じて枠体が変形することになりやすく、縦枠や横枠が仕切壁と垂直な、戸袋の開口幅を狭める側に張り出して変形した場合には、特に出入口の開口縁部に沿って配置される開口縁部縦枠の部分で引戸が戸袋壁と接触することになって、引戸の出し入れに障害を及ぼすことになる。このような縦枠や横枠に撓みや反りが生じるのを防止するために、戸袋壁の枠体を構成する縦枠及び横枠として、金属製の枠材を用いることも提案されている（例えば、特許文献１参照）。
【特許文献１】特開平１１−２４７３５８号公報
【発明の開示】
【発明が解決しようとする課題】
【０００６】
しかしながら、出入口の開口縁部に沿って配置される戸袋パネルの開口縁部縦枠が金属製のものであると、戸袋壁の出入口側端面に取り付けられる木製の中方立との接合や、枠体に取り付けられる戸袋側面材及び部屋側面材との出入口側端部における接合が甘くなって、これらの中方立や各面材を戸袋壁の枠体に強固且つ安定した状態で接合一体化することが困難になる。
【０００７】
本発明は、このような従来の課題に着目してなされたもので、縦枠や横枠の撓みや反りによって戸袋壁の枠体が変形するのを効果的に回避して、引戸の出し入れに障害を及ばさないようすることができると共に、戸袋壁の枠体に中方立や面材を強固且つ安定した状態で接合一体化して取り付けることのできる戸袋パネルを提供することを目的とする。
【課題を解決するための手段】
【０００８】
本発明は、仕切壁に形成された出入口を開閉する引戸を出し入れ可能に収容する戸袋を設ける際に、前記仕切壁に沿って設置される戸袋パネルであって、複数の金属製縦枠と上下一対の金属製横枠とを含む矩形形状の枠体と、該枠体の一方の面を覆って取り付けられる戸袋側面材とからなり、且つ前記出入口の開口縁部に沿って配置される開口縁部縦枠は、矩形断面形状の木製枠材に対して該矩形断面形状の後方の短辺部側から填め込むように取り付けられることにより、当該後方の短辺部及び両側の長辺部の後方部分の周縁外郭部となるコの字断面形状部分を備える補強金物を、前記木製枠材の長手方向に沿って接合一体化して形成されるものであり、この開口縁部縦枠は、前記補強金物によって覆われていない前方の短辺部を出入口側に配設して取り付けられていることを特徴する戸袋パネルを提供することにより、上記目的を達成したものである。
【０００９】
ここで、上記記載において、開口縁部縦枠を構成する矩形断面形状の木製枠材の後方の短辺部は、戸袋から出入口に向けて引戸が引き出される際の引き出し方向を前方として、木製枠材の背面側に位置する短辺部を意味するものであり、補強金物によって覆われていない前方の短辺部は、当該引き出し方向前方に位置する短辺部を意味するものである。
【００１０】
そして、本発明の戸袋パネルは、前記枠体の一方の面を覆って取り付けられる戸袋側面材が、化粧合板であることが好ましい。
【００１１】
また、本発明の戸袋パネルは、前記金属製縦枠及び前記金属製横枠が、ロの字断面形状又はコの字断面形状を有する金属製枠材であることが好ましい。
【発明の効果】
【００１２】
本発明の戸袋パネルによれば、縦枠や横枠の撓みや反りによって戸袋壁の枠体が変形するのを効果的に回避して、引戸の出し入れに障害を及ばさないようすることができると共に、戸袋壁の枠体に中方立や面材を強固且つ安定した状態で接合一体化して取り付けることができる。
【発明を実施するための最良の形態】
【００１３】
本発明の好ましい一実施形態によれば、図１〜図３に示すように、例えば木造建築物の内部において、隣接する部屋として例えば居間と和室との間を仕切る仕切壁１１に出入口１２が開口形成されていると共に、この出入口１２を開閉する建具である引戸（図示せず）を出し入れ可能に収容する戸袋１３が、出入口１２と隣接する仕切壁１１の内部に設けられている。そして、本実施形態の戸袋パネル１０は、このような戸袋１３を出入口１２に隣接して効率良く設置してゆくことができるようにするために採用されたものである。
【００１４】
すなわち、本実施形態の戸袋パネル１０は、仕切壁１１に形成された出入口１２を開閉する引戸を出し入れ可能に収容する戸袋１３を設ける際に、仕切壁１１に沿って設置されるパネル部材であって、図４にも示すように、複数の金属製縦枠１４ａ，１４ｂと上下一対の金属製横枠１５とを含む矩形形状の枠体１６と、この枠体１６の一方の面を覆って取り付けられる戸袋側面材１７とからなり、且つ出入口１２の開口縁部１２ａに沿って配置される開口縁部縦枠１８は、図５（ａ），（ｂ）に示すように、矩形断面形状の木製枠材１９に対して該矩形断面形状の後方の短辺部１９ａ側から填め込むように取り付けられることにより、当該後方の短辺部１９ａ及び両側の長辺部１９ｃの後方部分の周縁外郭部２９となるコの字断面形状部分２０を備える補強金物２１を、木製枠材１９の長手方向に沿って接合一体化して形成されるものであり、この開口縁部縦枠１８は、補強金物２１によって覆われていない前方の短辺部１９ｂを出入口１２側に配設して取り付けられている。
【００１５】
本実施形態によれば、図１に示すように、仕切壁１１には、例えば鴨居２２ａ、敷居２２ｂ、方立２２ｃ、及び戸袋方立２２ｄが、矩形枠形状に組み付けられた状態で取り付けられていて、出入口１２及び戸袋１３（戸袋壁２４）が設けられる矩形領域２３を区画している。この矩形領域２３を左右に分割した一方の略半部の部分は、出入口１２として開口すると共に、これに隣接する他方の略半部の部分には、一対の戸袋パネル１０が、例えば両側の各部屋から填め込まれるようにして取り付けられることにより、戸袋１３の両側の戸袋壁２４（図２，図３参照）を構成し、これらの戸袋壁２４によって挟まれる中央の中空部分を戸袋１３として、引戸を出入れ可能に収納できるようになっている。
【００１６】
なお、本実施形態によれば、鴨居２２ａ及び敷居２２ｂには、各一本のガイド溝２５が彫り込み形成されており、このガイド溝２５に案内させつつ、一枚の引戸をスライド移動することにより出し入れして、出入口１２をスムーズに開閉できるようになっている。
【００１７】
そして、本実施形態によれば、戸袋パネル１０は、矩形形状の枠体１６とこの枠体１６の一方の面に取り付けられる戸袋側面材１７とからなり、枠体１６は、３本の金属製縦枠１４ａ，１４ｂと、補強金物２１を木製枠材１９に接合一体化した開口縁部縦枠１８と、上下一対の金属製横枠１５とによって構成されて、例えば縦１７５０〜２４００ｍｍ程度、横６００〜１５００ｍｍ程度の大きさの矩形形状に組み付けられることになる。
【００１８】
金属製縦枠１４ａ，１４ｂは、図４及び図６（ａ），（ｂ）に示すように、ロの字断面形状を有するランナーである２本の中間縦枠１４ａと、コの字断面形状を有するランナーである１本の端部縦枠１４ｂとからなり、中間縦枠１４ａは開口縁部縦枠１８と端部縦枠１４ｂとの中間部分において、これらと平行に配置されることになる。またコの字断面形状の端部縦枠１４ｂは、幅の広い側のフランジ部２７を戸袋側面材１７側とすると共に、コの字断面の開口部２８側を内側に向けて配置されることになる。
【００１９】
開口縁部縦枠１８は、上述のように、矩形断面形状の木製枠材１９にコの字断面形状部分２０を備える補強金物２１を接合一体化して形成されるものであり、木製枠材１９は、図５（ａ），（ｂ）に示すように、例えば短辺が２０〜７５ｍｍ、長辺が３０〜１５０ｍｍ程度の大きさの矩形断面形状を有している。また木製枠材１９は、後方の短辺部１９ａと、両側の長辺部１９ｃの後方部分とによる連続するコの字状の周縁部分が、例えば２〜６ｍｍ程度の深さで切り欠かれている。このコの字状の周縁切り欠き部分２６には、補強金物２１のコの字断面形状部分２０が、後方の短辺部１９ａ側から填め込むように取り付けられて密着配置されることになる。これによって木製枠材１９に補強金物２１が強固に接合一体化され、コの字断面形状部分２０は、後方の短辺部１９ａ及び両側の長辺部１９ｃの後方部分において、矩形形状内に納まる周縁外郭部２９を構成すると共に、補強金物２１は、長辺部１９ｃに沿った面よりも外側にはみ出さないように取り付けられることになる。
【００２０】
なお、本実施形態によれば、補強金物２１のコの字断面形状部分２０の、一対のフランジの外面間の距離Ｌ１が、木製枠材１９の短辺部１９ｂの長さＬ２よりも僅かに短くなっており、これによって木製枠材１９や補強金物２１の製造誤差を効果的に吸収して、長辺部１９ｃに沿った面よりも、補強金物２１が外側にはみ出さないように容易に調整することが可能になる。また、短辺部１９ａ側から填め込むように取り付けられた補強金物２１の外側から、木製枠材１９に向けて例えば固定ビス３０等を所定のピッチで適宜打ち込むことにより、木製枠材１９と補強金物２１とをさらに強固に接合一体化することが可能になる。
【００２１】
上下一対の金属製横枠１５は、図４及び図６（ｂ）に示すように、コの字断面形状を有するランナーである。各金属製横枠１５は、幅の広い側のフランジ部２７を戸袋側面材１７側とすると共に、コの字断面の開口部２８を介して中間縦枠１４ａと開口縁部縦枠１８の各端部を内側に各々挿入配置した状態で、これらと垂直に取り付けられ、中間縦枠１４ａ、端部縦枠１４ｂ、及び開口縁部縦枠１８と共に矩形形状の枠体１６を構成する。
【００２２】
なお、本実施形態によれば、金属製横枠１５は、枠体１６の横幅よりも短い長さを有しており、端部縦枠１４ｂとは直接連結されることなく、戸袋側面材１７を介して連結されていることにより、端部縦枠１４ｂとの間には、例えば５〜２００ｍｍ程度の隙間ｔ（図１参照）が保持されることになる。金属製横枠１５と端部縦枠１４ｂとの間に隙間ｔが保持されていることにより、戸袋パネル１０が仕切壁１１の矩形領域２３に取り付けられる際に、鴨居２２ａ、敷居２２ｂ、方立２２ｃ、戸袋方立２２ｄ等の製造誤差や施工誤差に伴う枠体１６の立ちの狂いを容易に調整することが可能になり、これによって戸袋パネル１０を効率良く取り付けてゆくことが可能になる。
【００２３】
戸袋パネル１０を構成する戸袋側面材１７は、図４に示すように、例えば２〜１５ｍｍ程度の厚さを有する木製の化粧合板からなり、枠体１６と同様の、例えば縦１７５０〜２４００ｍｍ程度、横６００〜１５００ｍｍ程度の大きさの矩形平面形状を有している。戸袋側面材１７は、戸袋１３側の面を覆うようにして、枠体１６に重ねて配置されると共に、金属製縦枠１４ａ，１４ｂ及び金属製横枠１５に対しては、例えば固定ビスであるノンヘッドビス３１を例えば１００〜３００ｍｍ程度の所定のピッチで打ち込むことにより、開口縁部縦枠１８に対しては、これの木製枠材１９に向けて例えば化粧釘３２を例えば１００〜３００ｍｍ程度の所定のピッチで打ち込むことにより、枠体１６に強固に密着一体化されて、本実施形態の戸袋パネル１０が形成されることになる。
【００２４】
そして、上述のような構成を有する本実施形態の戸袋パネル１０は、工場等において予め製造されると共に、製造された戸袋パネル１０は、施工対象となる木造建築物の内部に搬入されて、仕切壁１１の矩形領域２３に取り付けられ、図３及び図４に示すように、戸袋１３を挟んだ両側の戸袋壁２４が多くの手間を要することなく効率良くスムーズに形成されることになる。
【００２５】
すなわち、搬入された戸袋パネル１０は、矩形領域２３の他方の略半部の部分に填め込まれるようにして取り付けられ、周囲の鴨居２２ａ、敷居２２ｂ、及び戸袋方立２２ｄに向けて例えば固定ビス等を打ち込むことにより、出入口１２に隣接して固定配置されることになる。次に、出入口１２の開口縁部１２ａに沿って配置される戸袋パネル１０の開口縁部縦枠１８に、戸袋壁２４の出入口側端面に設けられる木製の中方立３３が、当該出入口側端面から木製枠材１９に向けて例えばタッカー釘等を打ち込んだり接着剤を介することによって、開口縁部縦枠１８に強固に密着した状態で取り付けられる。さらに、取り付けられた戸袋パネル１０の戸袋１３とは反対の部屋側の面を覆って、仕切壁１１の外装下地材である例えば９〜１５ｍｍ程度の厚さのプラスターボードを、部屋側面材３４として取り付けることにより、仕切壁１１に沿って一対の戸袋壁２４が設けられると共に、これらの戸袋壁２４の間に挟まれて、例えば３０〜１００ｍｍ程度の幅の中空収容部分である戸袋１３が形成されることになる。
【００２６】
ここで、部屋側面材３４は、一端を中方立３３に取り付けられた額縁３５に支持させた状態で戸袋パネル１０の部屋側の面に沿って配置した後に、枠体１６の金属製縦枠１４ａ，１４ｂ及び金属製横枠１５に対しては、例えば固定ビスであるノンヘッドビスを例えば１００〜４５５ｍｍ程度の所定のピッチで打ち込むことにより、開口縁部縦枠１８に対しては、これの木製枠材１９に向けて例えばタッカー釘を例えば１００〜４５５ｍｍ程度の所定のピッチで打ち込むことにより、枠体１６に強固に密着一体化されて、戸袋パネル１０に取り付けられることになる。また、図２において、符号３６で示されるものは、引戸を、鴨居２２ａと敷居２２ｂとのガイド溝２５に係止しつつ仕切壁１１の矩形領域２３に設置した後に、当該引戸が矩形領域２３から脱落しないように押さえておくために、中方立３３に取り付けられる押縁である。
【００２７】
そして、本実施形態の戸袋パネル１０によれば、縦枠や横枠の撓みや反りによって戸袋壁２４の枠体１６が変形するのを効果的に回避して、引戸の出し入れに障害を及ばさないようすることができると共に、戸袋壁２４の枠体１６に中方立３３や面材１７，３４を強固且つ安定した状態で接合一体化して取り付けることができる。すなわち、本実施形態によれば、戸袋壁２４を構成する戸袋パネル１０の枠体１６が、金属製縦枠１４ａ，１４ｂと、金属製横枠１５と、木製枠材１９及び補強金物２１が接合一体化された開口縁部縦枠１８とによって構成されているので、これらの金属製部材によって、木製材料の乾燥収縮等による撓みや反りの影響を受けることなく、枠体１６の形状を強固に保持して、戸袋１３の幅を狭める側に枠材が張り出すのを効果的に防止することにより、引戸の出し入れに障害を及ばさないようすることが可能になる。
【００２８】
また、出入口１２の開口縁部１２ａに沿って配置される開口縁部縦枠１８は、木製枠材１９に対して、後方から補強金物２１のコの字断面形状部分２０を、矩形形状内に納まる周縁外郭部２９として填め込むように取り付けることによって形成され、補強金物２１は、木製枠材１９の長辺部１９ｃに沿った面より外側にはみ出さないように取り付けられると共に、開口縁部縦枠１８は、補強金物２１によって覆われていない前方の短辺部１９ｂを開口側に配設して取り付けられることになる。したがって、戸袋壁２４の出入口側端面に取り付けられる木製の中方立３３との接合や、枠体１６に取り付けられる化粧合板による戸袋側面材１７やプラスターボードによる部屋側面材３４との出入口側端部における接合が、木製枠材１９との直接の密着接合によって、金属製の枠材との接合と比較して、強固な接合構造を形成することが可能になり、これによって、中方立３３や各面材１７，３４を戸袋壁２４の枠体１６に強固且つ安定した状態で容易に接合一体化することが可能になる。
【００２９】
なお、本発明は上記実施形態に限定されることなく種々の変更が可能である。例えば、金属製縦枠を３本以上配置して枠体を形成しても良く、図７に示すように、合板等からなる補強壁３７やその他の補強部材を取り付けて戸袋パネル１０とすることもできる。さらに、補強金物２１は、コの字断面形状部分２０のみによって構成されるものである必要は必ずしもなく、例えば図８（ａ）示すように、コの字断面形状部分２０に補強リブ３８等を連接一体化して、補強金物２１の変形剛性を高めるようにすることもできる。さらにまた、例えば図８（ｂ）示すように、コの字断面形状部分２０の両側のフランジ部３９の内側面を、奥部に向かって幅が狭くなるテーパー面とすることにより、木製枠材１９に対して補強金物２１をビス４０等を介して締め付けつつ填め込む際に、木製枠材１９との密着性及び接合強度を向上させて、ガタツキ等の発生をさらに効果的に防止することも可能になる。さらにまた、金属製縦枠や金属製横枠は、ロの字断面形状やコの字断面形状を有するものである必要は必ずしもない。
【図面の簡単な説明】
【００３０】
【図１】本発明の一実施形態に係る戸袋パネルを用いて仕切壁に戸袋を設ける状況を説明する略示斜視図である。
【図２】本発明の一実施形態に係る戸袋パネルを用いて形成された戸袋を有する仕切壁の構成を説明する平断面図である。
【図３】本発明の一実施形態に係る戸袋パネルを用いて形成された戸袋を有する仕切壁の構成を説明する縦断面図である。
【図４】本発明の一実施形態に係る戸袋パネルの分解斜視図である。
【図５】（ａ）は開口縁部縦枠の構成を説明する分解横断面図、（ｂ）は開口縁部縦枠の構成を説明する横断面図である。
【図６】（ａ）〜（ｃ）は、金属製縦枠及び金属製横枠の形状を説明する横断面図である。
【図７】戸袋パネルの他の形態を説明する正面図である。
【図８】（ａ）及び（ｂ）は開口縁部縦枠の他の形態を説明する横断面図である。
【符号の説明】
【００３１】
１０  戸袋パネル
１１  仕切壁
１２  出入口
１２ａ  出入口の開口縁部
１３  戸袋
１４ａ  中間金属製縦枠
１４ｂ  端部金属製縦枠
１５  金属製横枠
１６  枠体
１７  戸袋側面材（化粧合板）
１８  開口縁部縦枠
１９  木製枠材
１９ａ  矩形断面形状の木製枠材の後方の短辺部
１９ｂ  矩形断面形状の木製枠材の前方の短辺部
１９ｃ  矩形断面形状の木製枠材の長辺部
２０  コの字断面形状部分
２１  補強金物
２４  戸袋壁
２６  木製枠材のコの字状の周縁切り欠き部分
２９  外郭部
３３  中方立
３４  部屋側面材（プラスターボード）
ｔ    金属製横枠と端部縦枠との間の隙間
【図１】
2005139749.tif 000003
【図２】
2005139749.tif 000004
【図３】
2005139749.tif 000005
【図４】
2005139749.tif 000006
【図５】
2005139749.tif 000007
【図６】
2005139749.tif 000008
【図７】
2005139749.tif 000009
【図８】
2005139749.tif 000010